(57)【要約】【課題】防水性の向上を図ることが可能なグロメットを提供する。【解決手段】グロメット１によれば、インナー部材２における筒状外壁８の内側且つワイヤハーネス４の撓み側に内壁１５を配置形成するとともに、内壁１５とワイヤハーネス４との当接位置を、これらの作用反作用の力の方向がパネル部材６に対し略平行となる位置に設定することから、ワイヤハーネス４に撓みが生じた場合であっても、ワイヤハーネス４は内壁１５に当接し、アウター部材３に傾きが生じるような力をインナー部材２に対し作用させることはない。【選択図】図３
2014082827.tif 000002
【特許請求の範囲】
【請求項１】
硬質材からなるインナー部材と、該インナー部材の外側に取り付けられ且つ軟質材からなるアウター部材とを備え、
前記インナー部材は、筒状に形成される筒状外壁と、該筒状外壁の一端側且つ外側に形成されてパネル部材の開口部に引っ掛かる複数のロック部と、前記筒状外壁の他端側に形成されて前記アウター部材に係合する係合部とを有し、
前記アウター部材は、前記筒状外壁の前記他端側に対応するよう配置されて線状部材を挿通する線状部材挿通部と、前記筒状外壁の前記係合部が係合する被係合部と、前記筒状外壁の前記ロック部側に配置されて前記パネル部材に対し水密に接するシール部とを有するグロメットにおいて、
前記インナー部材は、前記筒状外壁の内側且つ前記線状部材の撓み側に配置される内壁を有し、
該内壁と前記線状部材との当接位置は、前記線状部材からの力の作用方向が前記パネル部材に略平行となる位置に設定される
ことを特徴とするグロメット。
【請求項２】
請求項１に記載のグロメットにおいて、
前記内壁は、前記撓み側に設けられる前記ロック部同士を繋ぐような位置に配置形成される
ことを特徴とするグロメット。
【請求項３】
請求項２に記載のグロメットにおいて、
前記内壁は、ブリッジ状となる形状に形成される
ことを特徴とするグロメット。
【請求項４】
請求項１、２又は３に記載のグロメットにおいて、
前記内壁は、前記当接位置に該当する部分が前記パネル部材に対し略垂直方向にのびてガイド部としての機能を有する
ことを特徴とするグロメット。
【請求項５】
請求項４に記載のグロメットにおいて、
前記内壁は、前記ガイド部に連成される曲面部を有する
ことを特徴とするグロメット。
【発明の詳細な説明】
【技術分野】
【０００１】
本発明は、インナー部材とアウター部材とを備えてなるグロメットに関する。
【背景技術】
【０００２】
グロメットは、ワイヤハーネスをパネル部材の開口部に挿通する際に、開口部とワイヤハーネス（線状部材）との接触を防止し、さらには、パネル部材内への水分の浸入を防止するために用いられる（例えば下記特許文献１参照）。以下、従来のグロメットの構成及び構造について説明をする。
【０００３】
図４及び図５において、グロメット１０１は、硬質材からなるインナー部材１０２と、軟質材からなるアウター部材１０３とを備えて構成される。グロメット１０１は、インナー部材１０２の外側にアウター部材１０３を一体化させた状態でパネル部材１０４に対し水密（液密）に取り付けられる。
【０００４】
インナー部材１０２は、筒状に形成される筒状外壁１０５と、この筒状外壁１０５の一端１０６側且つ外側に形成されてパネル部材１０４の開口部１０７に引っ掛かる複数のロック部１０８と、筒状外壁１０５の他端１０９側に形成されてアウター部材１０３に係合する係合部１１０、１１１とを有する。
【０００５】
アウター部材１０３は、筒状外壁１０５の他端１０９側に対応するよう配置されてワイヤハーネス１１２、１１３を挿通するワイヤハーネス挿通部１１４、１１５と、筒状外壁１０５の係合部１１０、１１１が係合する被係合部１１６、１１７と、筒状外壁１０５のロック部１０７側に配置されてパネル部材１０４に対し水密に接するシール部１１８、１１９とを有する。
【先行技術文献】
【特許文献】
【０００６】
【特許文献１】特開２０１２−５２６１号公報
【発明の概要】
【発明が解決しようとする課題】
【０００７】
図４及び図５のグロメット１０１は、ワイヤハーネス１１２が図４中の矢印Ｐで示す如く撓み、この撓んだワイヤハーネス１１２が例えばロック部１０８の形成されてない位置で筒状外壁１０５の一端１０６に当接した場合、次のような問題点を有する。すなわち、当接部分においては、ワイヤハーネス１１２による力の作用方向が矢印Ｑで示す方向になることから、筒状外壁１０５の一端１０６が矢印Ｑ方向に押され、これに伴ってアウター部材１０３が傾き、そして、パネル部材１０４とシール部１１８との接圧が低下して水分の浸入が生じてしまうという問題点を有する。
【０００８】
本発明は、上記した事情に鑑みてなされたもので、防水性の向上を図ることが可能なグロメットを提供することを課題とする。
【課題を解決するための手段】
【０００９】
上記課題を解決するためになされた請求項１に記載の本発明は、硬質材からなるインナー部材と、該インナー部材の外側に取り付けられ且つ軟質材からなるアウター部材とを備え、前記インナー部材は、筒状に形成される筒状外壁と、該筒状外壁の一端側且つ外側に形成されてパネル部材の開口部に引っ掛かる複数のロック部と、前記筒状外壁の他端側に形成されて前記アウター部材に係合する係合部とを有し、前記アウター部材は、前記筒状外壁の前記他端側に対応するよう配置されて線状部材を挿通する線状部材挿通部と、前記筒状外壁の前記係合部が係合する被係合部と、前記筒状外壁の前記ロック部側に配置されて前記パネル部材に対し水密に接するシール部とを有するグロメットにおいて、前記インナー部材は、前記筒状外壁の内側且つ前記線状部材の撓み側に配置される内壁を有し、該内壁と前記線状部材との当接位置は、前記線状部材からの力の作用方向が前記パネル部材に略平行となる位置に設定されることを特徴とする。
【００１０】
請求項２に記載の本発明は、請求項１に記載のグロメットにおいて、前記内壁は、前記撓み側に設けられる前記ロック部同士を繋ぐような位置に配置形成されることを特徴とする。
【００１１】
請求項３に記載の本発明は、請求項２に記載のグロメットにおいて、前記内壁は、ブリッジ状となる形状に形成されることを特徴とする。
【００１２】
請求項４に記載の本発明は、請求項１、２又は３に記載のグロメットにおいて、前記内壁は、前記当接位置に該当する部分が前記パネル部材に対し略垂直方向にのびてガイド部としての機能を有することを特徴とする。
【００１３】
請求項５に記載の本発明は、請求項４に記載のグロメットにおいて、前記内壁は、前記ガイド部に連成される曲面部を有することを特徴とする。
【発明の効果】
【００１４】
請求項１に記載された本発明によれば、インナー部材における筒状外壁の内側且つ線状部材の撓み側に内壁を配置形成するとともに、内壁と線状部材との当接位置を、これらの作用反作用の方向がパネル部材に対し略平行となる位置に設定することから、線状部材に撓みが生じた場合であっても、線状部材は内壁に当接し、アウター部材に傾きが生じるような力をインナー部材に対し作用させることはない。従って、本発明によれば、アウター部材のシール部とパネル部材との接圧を良好に保つことができ、以て防水性の向上を図ることができるという効果を奏する。
【００１５】
請求項２に記載された本発明によれば、請求項１の効果に加え次のような効果も奏する。すなわち、線状部材の撓み側に設けられるロック部同士を繋ぐような位置に内壁を配置形成することから、線状部材が撓んで内壁に当接しても内壁の状態を安定させることができるという効果を奏する。
【００１６】
請求項３に記載された本発明によれば、請求項２の効果に加え次のような効果も奏する。すなわち、ロック部同士を繋ぐような位置に配置される内壁をブリッジ状となる形状に形成することから、最小限度の構造追加で防水性の向上を図ることができるという効果を奏する。
【００１７】
請求項４に記載された本発明によれば、請求項１、２又は３の効果に加え次のような効果も奏する。すなわち、ガイド部の機能を有する内壁であることから、線状部材挿通部に挿通された状態の線状部材を、又は、撓んだ状態の線状部材をガイドすることができるという効果を奏する。
【００１８】
請求項５に記載された本発明によれば、請求項４の効果に加え次のような効果も奏する。すなわち、曲面部を更に有する内壁であることから、線状部材が撓んで当接しても傷付きを防止することができるという効果を奏する。
【図面の簡単な説明】
【００１９】
【図１】本発明のグロメットを示す断面図である。
【図２】グロメットの平面図である。
【図３】ワイヤハーネスが撓んだ時のグロメットの状態を示す断面図である。
【図４】従来例のグロメットであり、ワイヤハーネスが撓んだ時の状態を示す断面図である。
【図５】従来例のグロメットの平面図である。
【発明を実施するための形態】
【００２０】
グロメットは、硬質材からなるインナー部材と、軟質材からなるアウター部材とを備えて構成される。インナー部材は筒状外壁を有し、この筒状外壁の内側且つ線状部材の撓み側に内壁を配置形成してなる。内壁は、線状部材との当接位置が、これらの作用反作用の方向がパネル部材に対し略平行となる位置に設定される。
【実施例】
【００２１】
以下、図面を参照しながら実施例を説明する。図１は本発明のグロメットを示す断面図である。また、図２はグロメットの平面図、図３はワイヤハーネスが撓んだ時のグロメットの状態を示す断面図である。
【００２２】
以下の説明において、具体的な形状、材料、数値、方向等は、本発明の理解を容易にするための例示であって、用途、目的、仕様等に合わせて適宜変更することができるものとする。
【００２３】
図１及び図２において、グロメット１は、硬質材からなるインナー部材２と、このインナー部材２の外側に取り付けられるアウター部材３とを備えて構成される。アウター部材３は、軟質材からなる。グロメット１は、線状部材の一例であるワイヤハーネス４、５をパネル部材６の開口部７に挿通する際に、開口部７とワイヤハーネス４、５との接触を防止し、さらには、パネル部材６内への水分の浸入を防止するために用いられる。先ず、上記の各部材について説明をする。
【００２４】
インナー部材２は、上記の如く硬質材からなる。具体的には、アウター部材３に対して硬質であって、本実施例においては絶縁性を有する樹脂成型品からなる。尚、インナー部材２は、インナーグロメットと呼ばれることもある。このようなインナー部材２は、筒状外壁８を有する。
【００２５】
筒状外壁８は、インナー部材２の外壁を形成する部分であって、略円筒状となる形状に形成される。筒状外壁８は、ワイヤハーネス４、５を挿通するに足りる大きさで一端９及び他端１０が開口するように形成される。
【００２６】
尚、本実施例の筒状外壁８は、例えばテーパ状肉厚部１１を有し、肉厚が不均一に形成されるが、これに特に限定されないものとする。
【００２７】
筒状外壁８の一端９には、フランジ部１２と、複数のロック部１３とが形成される。フランジ部１２は、パネル部材６に対し平行な環状の部分として形成される。フランジ部１２は、インナー部材２をアウター部材３に押し込んで取り付ける際に、例えば押圧面として用いられる。
【００２８】
ロック部１３は、本実施例において１２０度間隔で三つ形成される。ロック部１３は、可撓性を有するアーム形状の係止部分に形成される。具体的には、基端部が一端９における外側に連成されるとともに、先端部に向けて次第に外側へ開くような片持ちのアーム形状に形成される。先端部には、パネル部材６の開口部７に引っ掛かる係止部１４が形成される。この係止部１４は、段形状に形成される。
【００２９】
筒状外壁８は、この内側に内壁１５が配置形成される。具体的には、筒状外壁８の一端９における内側に内壁１５が配置形成される。また、内壁１５は、ワイヤハーネス４の撓み側に位置するように配置形成される。内壁１５は、ワイヤハーネス４が撓んだ際に当接する部分として形成される。内壁１５は、本発明の特徴部分として形成される。
【００３０】
内壁１５は、三つあるロック部１３のうち、二つのロック部１３同士を繋ぐような位置に配置形成される。内壁１５は、ブリッジ状となる形状に形成される。また、内壁１５は、真っ直ぐのびる形状に形成される。
【００３１】
内壁１５は、上記の如くロック部１３同士を繋ぐ位置に配置され、ブリッジ状となる形状に形成されることから、「橋渡し部」と呼ぶこともできる。尚、図中からも分かるが、内壁１５は、ワイヤハーネス４、５を区画するための部分でないものとする。
【００３２】
内壁１５には、ワイヤハーネス４が撓んだ際に当接する当接位置が設定される。この当接位置は次のように設定される。すなわち、ワイヤハーネス４による力の作用方向が矢印Ｑ（図３参照）となる位置に設定される。具体的には、上記力の作用方向がパネル部材６に対し略平行となる位置に設定される。
【００３３】
内壁１５についてもう少し詳しく説明すると、内壁１５は、ガイド部１６と、曲面部１７とを有する。ガイド部１６は、ワイヤハーネス４が撓んだ際に当接する上記当接位置に配置される。ガイド部１６は、パネル部材６に対し略垂直方向にのびるように形成される。また、ガイド部１６は、ワイヤハーネス４を、又は、撓んだ状態のワイヤハーネス４をガイドすることができるように形成される。
【００３４】
尚、ガイド部１６を筒状外壁８の他端１０側までのばすように形成してもよいものとする（この場合、内壁１５はブリッジ状となる形状でなく壁状になるが、ブリッジ状にこだわる必要はないものとする。ブリッジ状となる形状は、例えば材料費面で上記壁状よりも有効である）。
【００３５】
曲面部１７は、ガイド部１６に連続する部分として形成される。また、曲面部１７は、この断面が円を１／４した時のような円弧を有するように形成される（一例であり、例えばテーパ形状でもよいものとする）。さらに、曲面部１７は、ワイヤハーネス４が撓んだ際に当接しても、ワイヤハーネス４の外面の傷付きを防止することができるように形成される。
【００３６】
筒状外壁８の他端１０には、係合部１８が形成される。この係合部１８は、アウター部材３に係合する部分として形成される。係合部１８は、パネル部材６に対し平行な環状の部分として形成される。すなわち、フランジ状となる形状に形成される。
【００３７】
アウター部材３は、上記の如く軟質材からなる。本実施例においては、絶縁性を有するゴムやエラストマーの成型品からなる。尚、アウター部材３は、アウターグロメットと呼ばれることもある。このようなアウター部材３は、インナー部材２の外側に係合する基部１９と、基部１９に一体形成される外縁部２０とを有する。
【００３８】
基部１９は、筒状外壁８の他端１０側を覆う部分として形成される。このような基部１９には、ワイヤハーネス４、５を挿通する部分としてワイヤハーネス挿通部２１、２２（線状部材挿通部）が形成される。また、基部１９には、筒状外壁８の係合部１８が係合する被係合部２３が形成される。
【００３９】
ワイヤハーネス挿通部２１、２２は、円筒形状に形成される。ワイヤハーネス挿通部２１、２２の内面は、ワイヤハーネス４、５の外面に密着するように形成される。被係合部２３は、基部１９の内側に配置形成される。被係合部２３は、筒状外壁８の係合部１８の形状に合わせて形成される。具体的には、環状溝部２４と、フランジ面被接触部２５とを有する形状に形成される。
【００４０】
外縁部２０は、インナー部材２のロック部１３側に配置形成される。また、外縁部２０は、基部１９の外縁に連続する環状の部分として形成される。このような外縁部２０には、パネル部材６に対し接触して水密（液密）状態となるシール部２６、２７と、筒状外壁８の外面に対し接触する接触部２８とが形成される。
【００４１】
本実施例の外縁部２０は、二重構造の防水部分としてシール部２６、２７を有し、さらには、防水の補助機能部分として接触部２８を有する。尚、シール部２６、２７等は、図示形状や数に限定されないものとする。シール部２６は、複数のリップ（符号省略）を有する。
【００４２】
次に、上記構成及び構造に基づきながら、本発明の特徴部分である内壁１５の作用について説明をする。
【００４３】
図１において、グロメット１をパネル部材６の開口部７に対し公知の方法で取り付けると、例えばワイヤハーネス４は開口部７に非接触状態で挿通される。グロメット１の取り付け状態においては、パネル部材６内への水分の浸入が防止される。
【００４４】
図３において、例えばワイヤハーネス４に外力が加わり、矢印Ｐ方向への撓みが生じた場合、ワイヤハーネス４は内壁１５に当接して撓みが規制される。この当接時におけるワイヤハーネス４から内壁１５への力の作用方向は矢印Ｑ方向になる。従って、ワイヤハーネス４はインナー部材２に対し、アウター部材３に傾きが生じるような力を作用させることはない。
【００４５】
以上、図１ないし図３を参照しながら説明してきたように、本発明に係るグロメット１によれば、アウター部材３のシール部２６とパネル部材６との接圧を良好に保つことができ、以て防水性の向上を図ることができるという効果を奏する。
【００４６】
また、本発明に係るグロメット１によれば、ワイヤハーネス４の撓み側に設けられるロック部１３同士を繋ぐような位置に内壁１５を配置形成することから、この内壁１５の状態を安定させることができるという効果を奏する。
【００４７】
また、本発明に係るグロメット１によれば、内壁１５をブリッジ状となる形状に形成することから、最小限度の構造追加で防水性の向上を図ることができるという効果を奏する。
【００４８】
また、本発明に係るグロメット１によれば、ガイド部１６を有する内壁１５であることから、例えば撓んだ状態のワイヤハーネス４をガイドすることができるという効果を奏する。
【００４９】
また、本発明に係るグロメット１によれば、曲面部１７を有する内壁１５であることから、例えばワイヤハーネス４が撓んで当接しても傷付きを防止することができるという効果を奏する。
【００５０】
本発明は本発明の主旨を変えない範囲で種々変更実施可能なことは勿論である。
【符号の説明】
【００５１】
１…グロメット
２…インナー部材
３…アウター部材
４、５…ワイヤハーネス（線状部材）
６…パネル部材
７…開口部
８…筒状外壁
９…一端
１０…他端
１１…テーパ状肉厚部
１２…フランジ部
１３…ロック部
１４…係止部
１５…内壁
１６…ガイド部
１７…曲面部
１８…係合部
１９…基部
２０…外縁部
２１、２２…ワイヤハーネス挿通部（線状部材挿通部）
２３…被係合部
２４…環状溝部
２５…フランジ面被接触部
２６、２７…シール部
２８…接触部
【図１】
2014082827.tif 000003
【図２】
2014082827.tif 000004
【図３】
2014082827.tif 000005
【図４】
2014082827.tif 000006
【図５】
2014082827.tif 000007